(57)【要約】      （修正有）【課題】検査対象から漏洩するトレーサーガスの濃度が、濃度計で測定できる最低測定濃度未満であっても、検査対象からの漏洩を検出できる漏洩検出装置を提供する。【解決手段】検査対象１から漏洩するトレーサーガスの濃度を濃度計３で測定することにより検査対象１からの漏洩を検出する漏洩検出装置における、前記濃度計３の上流側にトレーサーガスを貯留可能なトレーサーガス貯留手段２を備える。又、濃度計３にはポンプ４を接続する。ポンプ４により、トレーサーガス貯留手段２とポンプ４との間の圧力を、トレーサーガス貯留手段２内の圧力未満まで減圧させる。又、トレーサーガス貯留手段２内に濃度計３で測定可能な濃度になるまで検査対象１から漏洩するトレーサーガスを貯留させる。このトレーサーガスを、トレーサーガス貯留手段２内から前記減圧させた濃度計３内に流すと、その濃度が濃度計３により測定される。したがって、検査対象１からの漏洩が検出できる。【選択図】図１
0003183547.tif 000002
【実用新案登録請求の範囲】
【請求項１】
検査対象から漏洩するトレーサーガスの濃度を濃度計で測定することにより、前記検査対象からの前記トレーサーガスの漏洩を検出する漏洩検出装置であって、
前記濃度計の上流側に設けられた、前記トレーサーガスを貯留可能なトレーサーガス貯留手段と、
前記濃度計に接続されたポンプと、
を備え、
前記ポンプにより、前記トレーサーガス貯留手段と前記ポンプとの間の流路の圧力を、前記トレーサーガス貯留手段内の圧力未満まで減圧させる機能と、
前記トレーサーガス貯留手段内に前記濃度計で測定可能な濃度まで貯留させた前記トレーサーガスを、前記トレーサーガス貯留手段と前記ポンプとの間の減圧された前記流路に流せる機能と、
を備えるようにした、
構成を有することを特徴とする漏洩検出装置。
【請求項２】
前記濃度計の上流側と前記ポンプの下流側とを接続するガス戻し流路を備えて、前記濃度計と前記ポンプと前記ガス戻し流路とを備える循環流路を備えるようにし、
前記ポンプにより、前記トレーサーガスを、前記循環流路内で循環させる機能を備えるようにした、
構成を有することを特徴とする請求項１記載の漏洩検出装置。
【請求項３】
前記ポンプの下流側に前記トレーサーガスを排気させるための排気流路を備え、
前記ポンプにより、前記トレーサーガスを前記排気流路から排気させる機能を備えるようにした、
構成を有することを特徴とする請求項１又は２記載の漏洩検出装置。
【請求項４】
前記濃度計の上流側に外気に接続可能な外気接続流路を備え、
前記ポンプにより、前記外気接続流路から前記濃度計内に外気を導入させる機能を備えるようにした、
構成を有することを特徴とする請求項１から請求項３のいずれか１項に記載の漏洩検出装置。
【考案の詳細な説明】
【技術分野】
【０００１】
本考案は、検査対象からの漏洩を検出するために用いられる漏洩検出装置に関するものである。
【背景技術】
【０００２】
検査対象からの漏洩を検出するために用いられる漏洩検出装置としては、従来、検査対象から漏洩するトレーサーガスの濃度を濃度計で測定することにより、前記検査対象からの前記トレーサーガスの漏洩を検出する形式の漏洩検出装置が知られている。
【０００３】
このような形式の漏洩検出装置としては、たとえば、検査対象を収納したフードと、前記検査対象の内部を排気して真空状態にする真空ポンプと、前記真空ポンプの下流側に設けられた濃度計と、前記検査対象の外側と前記フードの内側との間の空間にトレーサーガスを供給するガス供給部と、を備えるようにした構成の漏洩検出装置が知られている（たとえば、特許文献１参照）。
【０００４】
又、前記したような形式の漏洩検出装置としては、たとえば、検査対象の内部にトレーサーガスを供給するガス供給部と、前記検査対象に近接可能な吸込口を有する吸入管と、前記吸込口から吸い込まれた前記トレーサーガスの濃度を測定する濃度計と、を備え、前記吸込口は、前記検査対象近くに取付け手段にて取り付け可能とした構成の漏洩検出装置が知られている（たとえば、特許文献２参照）。
【先行技術文献】
【特許文献】
【０００５】
【特許文献１】特開２０１２−４７６５１号公報
【特許文献２】特開２００１−２２８０４５号公報
【考案の概要】
【考案が解決しようとする課題】
【０００６】
しかしながら、前記特許文献１、前記特許文献２に記載されたような漏洩検出装置は、検査対象から漏洩するトレーサーガスの濃度を濃度計で測定することにより、前記検査対象からの前記トレーサーガスの漏洩を検出する形式の漏洩検出装置であるため、その検出感度は、濃度計の測定感度に依存することになる。
【０００７】
このため、前記特許文献１、前記特許文献２に記載されたような形式の漏洩検出装置では、検査対象から漏洩するトレーサーガスの濃度が、濃度計で測定できるトレーサーガスの最低測定濃度未満の場合、検査対象から漏洩するトレーサーガスの濃度を濃度計で測定することができないことから、検査対象からの漏洩を検出することができないという問題がある。
【０００８】
本考案は、上記した事情に鑑みてなされたものであり、その目的は、検査対象から漏洩するトレーサーガスの濃度が、濃度計で測定できるトレーサーガスの最低測定濃度未満であっても、前記検査対象からの漏洩を検出することができる漏洩検出装置を提供することを目的とする。
【課題を解決するための手段】
【０００９】
本考案の漏洩検出装置は、前記課題を解決するために、請求項１に対応して、検査対象から漏洩するトレーサーガスの濃度を濃度計で測定することにより、前記検査対象からの前記トレーサーガスの漏洩を検出する漏洩検出装置に、前記濃度計の上流側に設けられた前記トレーサーガスを貯留可能なトレーサーガス貯留手段と、前記濃度計に接続されたポンプと、を備え、前記ポンプにより、前記トレーサーガス貯留手段と前記ポンプとの間の流路の圧力を、前記トレーサーガス貯留手段内の圧力未満まで減圧させる機能と、前記トレーサーガス貯留手段内に前記濃度計で測定可能な濃度まで貯留させた前記トレーサーガスを、前記トレーサーガス貯留手段と前記ポンプとの間の減圧された前記流路に流せる機能と、を備えるようにした構成とする。
【００１０】
又、請求項２に対応して、前記構成における前記濃度計の上流側と前記ポンプの下流側とを接続するガス戻し流路を備えて、前記濃度計と前記ポンプと前記ガス戻し流路とを備える循環流路を備えるようにし、前記ポンプにより、前記トレーサーガスを、前記循環流路内で循環させる機能を備えるようにした構成とする。
【００１１】
更に、請求項３に対応して、前記構成におけるポンプの下流側に前記トレーサーガスを排気させるための排気流路を備え、前記ポンプにより、前記トレーサーガスを前記排気流路から排気させる機能を備えるようにした構成とする。
【００１２】
更に又、請求項４に対応して、前記構成における濃度計の上流側に外気に接続可能な外気接続流路を備え、前記ポンプにより、前記外気接続流路から前記濃度計内に外気を導入させる機能を備えるようにした構成とする。
【考案の効果】
【００１３】
本考案の漏洩検出装置によれば、以下のような優れた効果を発揮する。
（１）本考案の漏洩検出装置は、検査対象から漏洩するトレーサーガスの濃度を濃度計で測定することにより、前記検査対象からの前記トレーサーガスの漏洩を検出する漏洩検出装置に、前記濃度計の上流側に設けられた前記トレーサーガスを貯留可能なトレーサーガス貯留手段と、前記濃度計に接続されたポンプと、を備え、前記ポンプにより、前記トレーサーガス貯留手段と前記ポンプとの間の流路の圧力を、前記トレーサーガス貯留手段内の圧力未満まで減圧させる機能と、前記トレーサーガス貯留手段内に前記濃度計で測定可能な濃度まで貯留させた前記トレーサーガスを、前記トレーサーガス貯留手段と前記ポンプとの間の減圧された前記流路に流せる機能と、を備えるようにした構成としているので、前記検査対象から漏洩するトレーサーガスの濃度が、前記濃度計で測定できるトレーサーガスの最低測定濃度未満の場合、漏洩試験の試験者は、前記トレーサーガス貯留手段内に前記濃度計で測定可能な濃度になるまで前記トレーサーガスを貯留させた後に、当該トレーサーガスを、前記トレーサーガス貯留手段から前記ポンプにより減圧された前記濃度計内に流させることができる。したがって、前記試験者は、前記濃度計に、前記濃度が高められたトレーサーガスの濃度を測定させることができる。よって、本考案の漏洩検出装置によれば、前記検査対象から漏洩するトレーサーガスの濃度が、前記濃度計で測定できるトレーサーガスの最低測定濃度未満であっても、前記検査対象からの漏洩を検出することができる。
（２）又、前記構成における濃度計の上流側と前記ポンプの下流側とを接続するガス戻し流路を備えて、前記濃度計と前記ポンプと前記ガス戻し流路とを備える循環流路を備えるようにし、前記ポンプにより、前記トレーサーガスを、前記循環流路内で循環させる機能を備えるようにした構成とすることにより、前記検査対象から漏洩するトレーサーガスの濃度が、前記濃度計で測定できるトレーサーガスの最低測定濃度未満の場合には、漏洩試験の試験者は、前記検査対象から漏洩してくるトレーサーガスを、順次、前記ポンプにより前記循環流路内で循環させることができるので、前記濃度計で測定可能な濃度まで前記トレーサーガスの濃度を前記循環流路内で高めることができる。したがって、前記試験者は、前記濃度計に、前記濃度が高められたトレーサーガスの濃度を測定させることができる。よって、本考案の漏洩検出装置によれば、前記検査対象から漏洩するトレーサーガスの濃度が、前記濃度計で測定できるトレーサーガスの最低測定濃度未満であっても、前記検査対象からの漏洩を検出することができる。
（３）更に、前記構成におけるポンプの下流側に前記トレーサーガスを排気させるための排気流路を備え、前記ポンプにより、前記トレーサーガスを前記排気流路から排気させる機能を備えるようにした構成とすることにより、漏洩試験の試験者は、前記濃度計内の前記トレーサーガスを、前記排気流路から排気させることができる。したがって、前記試験者は、前記濃度計内に前記トレーサーガスが残留することにより起こる、漏洩試験の検査ミスを防止することができる。よって、本考案の漏洩検出装置によれば、漏洩試験の信頼性を向上させることができる。
（４）更に又、前記構成における濃度計の上流側に外気に接続可能な外気接続流路を備え、前記ポンプにより、前記外気接続流路から前記濃度計内に外気を導入させる機能を備えるようにした構成とすることにより、漏洩試験の試験者は、前記濃度計の零点を、外気中に含まれる前記トレーサーガスの濃度を基準に設定することができる。したがって、前記試験者は、漏洩試験の実施環境に応じて、前記濃度計の零点を設定することができる。よって、本考案の漏洩検出装置によれば、漏洩試験の信頼性を向上させることができる。
【図面の簡単な説明】
【００１４】
【図１】図１は、本考案の漏洩検出装置の構成の一例を示す概略図である。
【図２】図２は、図１の漏洩検出装置を用いて、トレーサーガスの漏れ量の閾値を前記トレーサーガスの濃度に換算した値が前記濃度計で測定できるトレーサーガスの最低測定濃度以上に設定された漏洩試験を実施する手順の一例を示す概略図である。なお、図２において塗りつぶされた三角は、それに接続された流路又は配管と他の流路又は配管との接続がその位置で閉じられていることを示す。
【図３】図３は、図１の漏洩検出装置を用いて、トレーサーガスの漏れ量の閾値を前記トレーサーガスの濃度に換算した値が前記濃度計で測定できるトレーサーガスの最低測定濃度未満に設定された漏洩試験を実施する手順の一例を示す概略図であり、（ａ）はトレーサーガス導入流路、濃度計内などを減圧させる工程を示す概略図、（ｂ）はトレーサーガス貯留手段内にトレーサーガスを貯留させる工程を示す概略図、（ｃ）はトレーサーガス貯留手段から濃度計内にトレーサーガスを流す工程を示す概略図である。なお、図３において塗りつぶされた三角は、それに接続された流路又は配管と他の流路又は配管との接続がその位置で閉じられていることを示す。
【図４】図４は、図１の漏洩検出装置を用いて、トレーサーガスの漏れ量の閾値を前記トレーサーガスの濃度に換算した値が前記濃度計で測定できるトレーサーガスの最低測定濃度未満に設定された漏洩試験を実施する他の手順を示す概略図である。なお、図４において塗りつぶされた三角は、それに接続された流路又は配管と他の流路又は配管との接続がその位置で閉じられていることを示す。
【考案を実施するための形態】
【００１５】
以下、本考案を実施するための形態を図面を参照して説明する。
【００１６】
図１は本考案の漏洩検出装置の構成の一例を示す概略図である。本考案の漏洩検出装置は、検査対象１にトレーサーガスを供給する図示してないトレーサーガス供給手段と、前記検査対象１から漏洩するトレーサーガスを貯留可能なトレーサーガス貯留手段２と、前記トレーサーガス貯留手段２の下流側に設けられた濃度計３と、前記濃度計３に接続されたポンプ４と、前記濃度計３の上流側と前記ポンプ４の下流側とを接続するガス戻し流路５と、前記ポンプ４の下流側に前記トレーサーガスを排気可能に設けられた排気流路６と、前記濃度計３の上流側に外気に接続可能に設けられた外気接続流路７と、を備え、前記ポンプ４により、前記トレーサーガス貯留手段２と前記ポンプ４との間の流路の圧力を、前記トレーサーガス貯留手段２内の圧力未満まで減圧させる機能と、前記トレーサーガス貯留手段２内に前記濃度計３で測定可能な濃度まで前記検査対象１から漏洩するトレーサーガスを貯留させる機能と、前記貯留させたトレーサーガスを、前記トレーサーガス貯留手段２と前記ポンプ４との間の減圧された前記流路に流せる機能と、前記ポンプ４により、前記検査対象１から漏洩してくるトレーサーガスを、前記濃度計３と前記ポンプ４と前記ガス戻し流路５とを備える循環流路８内で循環させる機能と、前記ポンプ４により、前記トレーサーガスを前記排気流路６から排気させる機能と、前記ポンプ４により、前記外気接続流路７から前記濃度計３内に外気を導入させる機能と、を備えるようにした構成とされている。
【００１７】
より具体的には、前記トレーサーガス貯留手段２は、たとえば、図１に示されるように、検査対象１の表面を覆う容器部９と、前記容器部９に第１の配管１０を介して接続された第１の開閉弁１１と、前記容器部９に第２の配管１２を介して接続された第１の流路切替手段１３と、を備えた構成とされている。
【００１８】
前記容器部９は、たとえば、前記トレーサーガスを受け入れ可能な開口部を備える。前記容器部９における開口部は、前記検査対象１の表面と気密に接触可能な構成とされている。これにより、前記検査対象１から漏洩するトレーサーガスが、前記容器部９と前記検査対象１との間から漏れるのが防止される。また、外気が、前記容器部９と前記検査対象１との間から前記容器部９内に侵入するのが防止される。
【００１９】
前記トレーサーガス貯留手段２における前記第１の開閉弁１１と前記第１の流路切替手段１３とには、図１に示されるように、前記トレーサーガスを前記濃度計３に導入するトレーサーガス導入流路１４が接続される。
【００２０】
前記第１の流路切替手段１３は、たとえば、図１に示されるように、三方弁とされており、少なくとも、前記ガス戻し流路５と前記第２の配管１２とを接続する機能と、前記ガス戻し流路５と前記トレーサーガス導入流路１４とを接続する機能と、前記第２の配管１２と前記ガス戻し流路５とを合流させて前記トレーサーガス導入流路１４に接続する機能と、を切り替え可能に構成されている。
【００２１】
又、前記濃度計３は、図１に示されるように、そのトレーサーガス導入口３Ａに前記トレーサーガス導入流路１４が接続される。これにより、前記検査対象１から漏洩したトレーサーガスは、前記容器部９、前記第１の配管１０、前記第１の開閉弁１１、及び、前記トレーサーガス導入流路１４を経て、前記濃度計３内に導入される。また、前記濃度計３は、そのトレーサーガス導出口３Ｂに前記濃度計３内から前記トレーサーガスを導出するためのトレーサーガス導出流路１５が接続されている。さらに、前記濃度計３は、前記トレーサーガス導入口３Ａと前記トレーサーガス導出口３Ｂとを接続する図示してない流路と、前記トレーサーガスが前記トレーサーガス導入口３Ａから前記トレーサーガス導出口３Ｂに流れる間にトレーサーガスの濃度を測定する図示してない測定部と、前記測定部の測定結果を出力する図示してない出力部と、前記出力部に接続された図示してない表示部と、を備える。これにより、前記トレーサーガスが前記濃度計３の測定部で測定されると、その測定結果が前記表示部に表示され、検査対象１からの漏洩が検出される。
【００２２】
前記ポンプ４は、前記トレーサーガス導出流路１５上に設けられる。前記トレーサーガス導出流路１５における前記ポンプ４の上流側位置には、第２の開閉弁１６が設けられている。また、前記トレーサーガス導出流路１５における前記ポンプ４の下流側位置には、第２の流路切替手段１７が設けられている。前記第２の流路切替手段１７は、たとえば、図１に示されるように、三方弁とされており、少なくとも、前記トレーサーガス導出流路１５と前記ガス戻し流路５とを接続する機能と、前記トレーサーガス導出流路１５と前記排気流路６とを接続する機能と、を切り替え可能に構成されている。
【００２３】
更に、前記ガス戻し流路５は、前記第１の流路切替手段１３と前記第２の流路切替手段１７とを接続するように設けられる。これにより、前記トレーサーガス貯留手段２と、前記トレーサーガス導入流路１４と、前記濃度計３と、前記トレーサーガス導出流路１５と、前記第２の開閉弁１６と、前記ポンプ４と、前記第２の流路切替手段１７と、前記ガス戻し流路５と、を備える循環流路８が形成される。
【００２４】
更に又、前記排気流路６は、前記ポンプ４の下流側の前記第２の流路切替手段１７に接続して設けられる。また、前記外気接続流路７は、第３の開閉弁１８を介して前記濃度計３の上流側の前記トレーサーガス導入流路１４に接続されている。
【００２５】
なお、前記トレーサーガスは、前記濃度計３で測定可能な気体であれば、如何なる気体を用いてもよいが、たとえば、ヘリウム、フロンガス、水素、燃焼用ガスなどの気体から、前記濃度計３の感度と測定のレベルなどに基づいて選定すればよい。
【００２６】
次に、前記実施形態の漏洩検出装置を用いて漏洩試験を行う手順の一例について説明する。
【００２７】
まず、漏洩試験の試験者は、漏洩試験前の準備として、前記第１の開閉弁１１と前記第２の開閉弁１６とを「開」にさせると共に、前記第１の流路切替手段１３を、前記第２の配管１２と前記ガス戻し流路５とが前記トレーサーガス導入流路１４に接続されるように切り替える。また、前記試験者は、前記第２の流路切替手段１７を、前記トレーサーガス導出流路１５と前記排気流路６とを接続するように切り替える。この状態で、漏洩試験の試験者が前記ポンプ４を駆動させると、前記容器部９、前記第１の配管１０、前記第２の配管１２、前記ガス戻し流路５、前記トレーサーガス導入流路１４、前記濃度計３内、及び、前記トレーサーガス導出流路１５に滞留しているトレーサーガスが前記排気流路６から排気される。この際、前記試験者が、前記第３の開閉弁１８を「開」にさせると、前記ポンプ４の駆動により、前記外気接続流路７から試験場所の外気が前記濃度計３内に導入される。その後、前記試験者は、前記ポンプ４の駆動を停止させてから、前記濃度計３内に導入された試験場所の外気中に含まれるトレーサーガスの濃度を、前記濃度計３の零点に設定する。また、前記試験者は、前記検査対象１内に、図示してないトレーサーガス供給手段からトレーサーガスを供給させる。
【００２８】
次に、漏洩試験において検査対象１に要求されるトレーサーガスの漏れ量を前記トレーサーガスの濃度に換算した値（以下、単に「閾値」という。）が、前記濃度計３で測定できるトレーサーガスの最低測定濃度以上に設定された、漏洩試験を実施する場合、従来から行われている漏洩試験と同様の漏洩試験を行えばよいので、前記した漏洩試験前の準備を行った後、たとえば、図２に示されるように、まず、漏洩試験の試験者は、前記第１の開閉弁１１と前記第２の開閉弁１６とを「開」にさせると共に、前記第３の開閉弁１８を「閉」にさせる。また、前記試験者は、前記第１の流路切替手段１３を、前記ガス戻し流路５と前記トレーサーガス導入流路１４とを接続するように切り替えると共に、前記第２の流路切替手段１７を、前記トレーサーガス導出流路１５と前記排気流路６とを接続するように切り替える。その後、前記試験者は、図２に示されるように、前記容器部９の開口部を前記検査対象１の表面に接触させる。この状態で、前記試験者が前記ポンプ４を駆動させると、前記検査対象１に漏れがある場合には、図２において矢印で示されるように、前記容器部９、前記第１の配管１０、前記トレーサーガス導入流路１４を経て、前記検査対象１から漏洩したトレーサーガスが前記濃度計３内に導入される。前記濃度計３内に導入されたトレーサーガスは、その濃度が前記濃度計３で測定できるトレーサーガスの最低測定濃度以上の場合、前記濃度計３の測定部により測定されて、前記濃度計３の表示部にその測定結果が表示されるので、前記検査対象１からのトレーサーガスの漏洩が検出される。その後、前記トレーサーガスは、図２において矢印で示されるように、前記ポンプ４の駆動により、前記トレーサーガス導出流路１５、前記排気流路６を経て排気される。
【００２９】
一方、閾値が前記濃度計３で測定できるトレーサーガスの最低測定濃度未満に設定された漏洩試験を実施する場合、その手順の一例としては、前記した漏洩試験前の準備を行った後、図３（ａ）に示されるように、まず、漏洩試験の試験者は、前記第１の開閉弁１１と前記第３の開閉弁１８とを「閉」にさせると共に、前記第１の流路切替手段１３を、前記ガス戻し流路５と前記トレーサーガス導入流路１４とを接続するように切り替える。また、前記試験者は、前記第２の開閉弁１６を「開」にさせると共に、前記第２の流路切替手段１７を、前記トレーサーガス導出流路１５と前記排気流路６とを接続するように切り替える。この状態で、前記試験者は、前記ポンプ４を駆動させることにより、前記ガス戻し流路５、前記トレーサーガス導入流路１４、前記濃度計３内、及び、前記トレーサーガス導出流路１５における前記ポンプ４の上流側位置の圧力を、前記トレーサーガス貯留手段２内の圧力未満、たとえば、真空または真空近くまで減圧させる。その後、前記試験者は、図３（ｂ）に示されるように、前記第２の開閉弁１６を「閉」にさせて、前記ガス戻し流路５、前記トレーサーガス導入流路１４、前記濃度計３内、及び、前記トレーサーガス導出流路１５における前記第２の開閉弁１６の上流側位置の圧力を、前記トレーサーガス貯留手段２内の圧力未満、たとえば、真空状態または真空近くの状態に維持させる。この際、前記試験者は、前記ポンプ４の駆動を停止させる。次に、前記試験者は、図３（ｂ）に示されるように、前記容器部９の開口部を前記検査対象１の表面に接触させる。前記容器部９の開口部を前記検査対象１の表面に接触させると、前記検査対象１から漏れがある場合、前記トレーサーガスが前記トレーサーガス貯留手段２内に貯留されることによりその濃度が高められるので、前記トレーサーガスの濃度が前記濃度計３で測定可能な濃度になるまで、所要時間、前記トレーサーガスを前記トレーサーガス貯留手段２内に貯留させる。なお、前記トレーサーガスを前記トレーサーガス貯留手段２内に貯留させる時間は、たとえば、実験等により予め求めておけばよい。その後、前記試験者が、図３（ｃ）に示されるように、前記第１の開閉弁１１を「開」にさせると、前記トレーサーガス貯留手段２内の圧力と、前記ガス戻し流路５、前記トレーサーガス導入流路１４、前記濃度計３内、及び、前記トレーサーガス導出流路１５における前記第２の開閉弁１６の上流側位置の圧力との間の差圧に基づいて、前記濃度計３で測定可能な濃度に高められたトレーサーガスが、前記トレーサーガス貯留手段２内から前記トレーサーガス導入流路１４を経て前記濃度計３内に導入される。この前記濃度計３内に導入されたトレーサーガスは前記したように濃度が高められているので、前記濃度計３の測定部により濃度が測定され、前記濃度計３の表示部にその測定結果が表示される。したがって、前記検査対象１からのトレーサーガスの漏洩が検出される。
【００３０】
又、閾値が前記濃度計３で測定できるトレーサーガスの最低測定濃度未満に設定された漏洩試験を実施する他の手順としては、前記した漏洩試験前の準備を行った後、図４に示されるように、まず、漏洩試験の試験者は、前記第１の開閉弁１１と前記第２の開閉弁１６とを「開」にさせると共に、前記第３の開閉弁１８を「閉」にさせる。また、前記試験者は、前記第１の流路切替手段１３を、前記ガス戻し流路５と前記第２の配管１２とを接続するように切り替えると共に、前記第２の流路切替手段１７を、前記トレーサーガス導出流路１５と前記ガス戻し流路５とを接続するように切り替える。その後、前記試験者は、図４に示されるように、前記容器部９の開口部を前記検査対象１の表面に接触させる。この状態で、前記試験者が前記ポンプ４を駆動させると、前記検査対象１に漏れがある場合には、図４において矢印で示されるように、前記トレーサーガスが、前記容器部９、前記第１の配管１０、前記トレーサーガス導入流路１４、前記濃度計３内、前記導出流路１５、前記ガス戻し流路５、前記第２の配管１２の順に流されて、前記循環流路８内を循環させられる。この循環させられたトレーサーガスは、前記容器部９に戻ると、前記検査対象１から漏洩してくるトレーサーガスに合流させられるので、前記トレーサーガスは、前記循環流路８内での循環を繰り返していくうちに前記濃度計３で測定可能な濃度まで高められる。その後、前記濃度計３で測定可能な濃度に高められたトレーサーガスが、前記ポンプ４の駆動により前記濃度計３内に導入されると、前記濃度計３の測定部によりトレーサーガスの濃度が測定され、前記濃度計３の表示部にその測定結果が表示される。したがって、前記検査対象１からのトレーサーガスの漏洩が検出される。
【００３１】
尚、閾値が前記濃度計３で測定できるトレーサーガスの最低測定濃度未満に設定された漏洩試験では、前記検査対象１からトレーサーガスの漏洩が検出された後、必要に応じて、漏洩試験の試験者は、前記第２の開閉弁１６を「開」にさせると共に、前記第２の流路切替手段１７を前記トレーサーガス導出流路１５と前記排気流路６とを接続するように切り替えてから、前記ポンプ４を駆動させ、濃度計３内などのトレーサーガスを排気流路６から排気させる。
【００３２】
このように、本実施形態の漏洩検出装置は、検査対象１から漏洩するトレーサーガスの濃度を、前記トレーサーガス貯留手段２内や前記循環流路８内で、前記濃度計３で検出可能な濃度まで高めてから濃度計３で測定することができる。よって、本実施形態の漏洩検出装置によれば、検査対象１から漏洩するトレーサーガスの濃度が濃度計３で測定できるトレーサーガスの最低測定濃度未満であっても、前記検査対象１からの漏洩を検出することができる。
【００３３】
又、本実施形態の漏洩検出装置は、前記トレーサーガス導出流路１５における前記ポンプ４の下流側位置に排気流路６を備えるようにしているので、前記ポンプ４により、前記トレーサーガスを前記排気流路６から排気させることができる。したがって、本実施形態の漏洩検出装置では、前記濃度計３内に前記トレーサーガスが残留することにより起こる、漏洩試験の検査ミスを防止することができる。よって、本実施形態の漏洩検出装置によれば、漏洩試験の信頼性を向上させることができる。
【００３４】
更に、本実施形態の漏洩検出装置は、前記トレーサーガス導入流路１４に外気に接続可能な外気接続流路７を備えるようにしているので、前記ポンプ４により、前記外気接続流路７から前記濃度計３内に外気を導入させることができる。したがって、本実施形態の漏洩検出装置では、前記濃度計３の零点を、外気中に含まれる前記トレーサーガスの濃度を基準に設定することができる。よって、本実施形態の漏洩検出装置によれば、漏洩試験の実施環境に応じて、前記濃度計３の零点を設定することができるので、漏洩試験の信頼性を向上させることができる。
【００３５】
なお、本考案の漏洩検出装置は前記した実施形態の構成に限定されるものではない。前記実施形態における容器部９は、如何なる形状でもよく、たとえば、円筒形状や角筒形状等としてもよい。又、前記容器部９は、検査対象１の表面を覆う構成に限られるものではなく、たとえば、検査対象１を収納可能な容器としてもよい。
【００３６】
前記実施形態において、第１の流路切替手段１３及び第２の流路切替手段１７は、たとえば、三方弁としているが、流路を切り替えられれば如何なる構成でもよく、たとえば、図１に示される第１の流路切替手段１３、第２の流路切替手段１７に接続される流路５，６，１４，１５、配管１２にそれぞれ備えられた開閉弁としてもよい。
【００３７】
前記実施形態におけるガス戻し流路５は、前記ポンプ４の下流側と前記濃度計３の上流側とを接続して循環流路８を形成できればよく、たとえば、前記トレーサーガス導出流路１５における前記ポンプ４の下流側位置と前記トレーサーガス導入流路１４とを接続するように設けたり、図１における前記第２の配管１２と前記第１の流路切替手段１３とを廃して前記トレーサーガス導出流路１５における前記ポンプ４の下流側位置と前記トレーサーガス貯留手段２における容器部９とを接続するように設けられてもよい。
【００３８】
前記実施形態における排気流路６は、前記ポンプ４の下流側に設けられていればよく、たとえば、前記トレーサーガス導出流路１５における前記ポンプ４の下流側位置に開閉弁を介して設けられてもよい。
【００３９】
前記実施形態における外気接続流路７は、前記濃度計３の上流側に設けられていればよく、たとえば、前記第１の配管１０に第３の開閉弁１８を介して設けられてもよい。
【００４０】
前記実施形態の漏洩検出装置には、前記第１の開閉弁１１、前記第２の開閉弁１６、前記第３の開閉弁１８、前記第１の流路切替手段１３、前記第２の流路切替手段１７、前記濃度計３、及び、前記ポンプ４の動作を制御する制御部を備えるようにしてもよい。前記制御部には、前記実施形態における漏洩試験での各手順を実施する機能、たとえば、前記ポンプ４により、前記トレーサーガス貯留手段２と前記ポンプ４との間の流路の圧力を、前記トレーサーガス貯留手段２内の圧力未満、たとえば、真空又は真空近くまで減圧させる機能や、前記トレーサーガス貯留手段２内に前記濃度計３で測定可能な濃度まで前記トレーサーガスを貯留させる機能、前記貯留させた前記トレーサーガスを、前記トレーサーガス貯留手段２と前記ポンプ４との間の減圧された前記流路に流す機能、前記ポンプ４により、前記検査対象１から漏洩してくるトレーサーガスを、前記濃度計３と前記ポンプ４と前記ガス戻し流路５とを備える循環流路８内で循環させる機能、前記ポンプ４により、前記トレーサーガスを前記排気流路６から排気させる機能、前記ポンプ４により、前記外気接続流路７から前記濃度計３内に外気を導入させる機能、などが備えられる。
【００４１】
以上、本考案の漏洩検出装置の好ましい実施形態について説明したが、本考案はこれら実施形態に限定されることはない。本考案の趣旨を逸脱しない範囲で、構成の付加、省略、置換、およびその他の変更が可能である。本考案は前述した説明によって限定されることはなく、実用新案登録請求の範囲の記載によってのみ限定される。
【符号の説明】
【００４２】
１  検査対象
２  トレーサーガス貯留手段
３  濃度計
４  ポンプ
５  ガス戻し流路
６  排気流路
７  外気接続流路
８  循環流路
【図１】
0003183547.tif 000003
【図２】
0003183547.tif 000004
【図３】
0003183547.tif 000005
【図４】
0003183547.tif 000006